(57)【特許請求の範囲】
【請求項１】
カードが挿入、排出されるカード挿入口と、
前記カード挿入口に連通して形成され、カード厚さ方向に一対の壁部を有するカード挿入路と、
前記カード挿入路に対して進出方向及び退出方向に移動可能とされ、前記カード挿入路に進出した状態において前記カード挿入路への異物の挿入を阻止するように前記カード挿入路を塞ぐシャッタ部材と、を備え、
前記シャッタ部材は、カード挿入方向とは交わる方向に伸びる中心軸回りに揺動可能且つ前記中心軸方向に移動可能に設けられ、前記中心軸回りに揺動することにより、前記カード挿入路の一方の壁部側から前記カード挿入路に対して進出方向及び退出方向に移動し、
前記カード挿入路の他方の壁部には、その内部に前記カード挿入路に進出した前記シャッタ部材の先端部が位置する孔部が設けられており、
前記孔部は、
前記先端部が前記中心軸方向に移動し得るように前記中心軸方向に所定の間隔を有する第１孔部と、
前記中心軸方向での間隔が前記第１孔部より小さい間隔を有し、且つ、前記先端部が前記中心軸方向に移動された状態から前記中心軸回りに揺動し得るように前記カード挿入方向に所定の間隔を有する第２孔部と、を含み、
前記シャッタ部材は、前記先端部が前記第１孔部を形成する壁面のうち前記カード挿入方向で見て前側の壁面と当接することにより、前記退出方向への揺動が規制されることを特徴とするカード処理装置。
【請求項２】
前記先端部は、前記中心軸方向に所定間隔を隔てて複数の突出部が設けられた櫛形に形成されており、
前記孔部は、前記各突出部に対応して設けられることを特徴とする請求項１に記載のカード処理装置。
【請求項３】
前記シャッタ部材は、前記カード挿入路に挿入されたカードが当接することにより前記カード挿入路から前記退出方向に移動し、
前記孔部に入り込む前記先端部は、前記カードの情報が記録された部分に対応する位置におけるカード厚さ方向での長さが、他の位置におけるカード厚さ方向での長さより短く設定されていることを特徴とする請求項１又は２に記載のカード処理装置。
【請求項４】
前記孔部に入り込む前記先端部は、カードの幅方向での端部に対応する位置におけるカード厚さ方向での長さが、他の位置におけるカード厚さ方向での長さより長く設定されていることを特徴とする請求項３に記載のカード処理装置。
【発明の詳細な説明】
【０００１】
【発明の属する技術分野】
本発明は、磁気カードやＩＣカードのデータを処理するカード処理装置に関し、特にカード処理装置におけるカードの挿入機構に関する。
【０００２】
【従来の技術】
一般に、この種のカード処理装置は、カードが挿入、排出されるカード挿入口と、カード挿入口に連通して形成されたカード挿入路と、カード挿入路内にてカードのデータを処理するデータ処理部とから概ね構成されている。例えば、ＩＣカード処理装置にあっては、データ処理部として、カード挿入路に挿入されたＩＣカードに当接するカード当接部と、ＩＣカードの電極部と対接する接点端子とを有する接点ユニットが備えられている。接点ユニットは、カード当接部に挿入されたＩＣカードが当接することにより、挿入されたＩＣカードと共に装置本体に対して移動することにより、カード挿入路内に接点端子を進出させるように構成されている。従って、ＩＣカード処理装置においては、挿入されたＩＣカードの接点端子とＩＣカードの電極部とが対接した状態において、これら接点端子と電極部を介してＩＣカードのデータ処理が行われる。（特開平８−２６３６０２号公報参照）
【０００３】
【発明が解決しようとする課題】
上述したようなカード処理装置においては、カード挿入口から異物等が挿入されることにより、接点ユニット等のデータ処理部が損傷を受ける、あるいは、カード挿入路が詰まりカードが挿入できなくなるといった問題が発生し、ＩＣカードのデータ処理が適切に行えなくなることがある。このため、特開平８−２６３６０２号公報に開示されているように、カード挿入口から異物等が挿入されることを防止するために、カード挿入路にシャッタ部材を設けることが考えられている。しかしながら、特開平８−２６３６０２号公報に開示された構造では、シャッタ部材とカード挿入路（カード挿入口）との間に隙間が存在するため、この隙間から紙あるいは金尺といった厚みの薄い異物の挿入を阻止することは難しい。
【０００４】
本発明は上述の点に鑑みてなされたもので、カード挿入口から紙あるいは金尺といった厚みの薄い異物が挿入されることを、確実に阻止することが可能なカード処理装置を提供することを目的とする。
【０００５】
【課題を解決するための手段】
請求項１に記載の発明は、カードが挿入、排出されるカード挿入口と、カード挿入口に連通して形成され、カード厚さ方向に一対の壁部を有するカード挿入路と、カード挿入路に対して進出方向及び退出方向に移動可能とされ、カード挿入路に進出した状態においてカード挿入路への異物の挿入を阻止するようにカード挿入路を塞ぐシャッタ部材と、を備え、シャッタ部材は、カード挿入方向とは交わる方向に伸びる中心軸回りに揺動可能且つ中心軸方向に移動可能に設けられ、中心軸回りに揺動することにより、カード挿入路の一方の壁部側からカード挿入路に対して進出方向及び退出方向に移動し、カード挿入路の他方の壁部には、その内部にカード挿入路に進出したシャッタ部材の先端部が位置する孔部が設けられており、孔部は、先端部が中心軸方向に移動し得るように中心軸方向に所定の間隔を有する第１孔部と、中心軸方向での間隔が第１孔部より小さい間隔を有し、且つ、先端部が中心軸方向に移動された状態から中心軸回りに揺動し得るようにカード挿入方向に所定の間隔を有する第２孔部と、を含み、シャッタ部材は、先端部が第１孔部を形成する壁面のうちカード挿入方向で見て前側の壁面と当接することにより、退出方向への揺動が規制されることを特徴とする。
【０００６】
請求項１に記載のカード処理装置によれば、シャッタ部材は、カード挿入路の一方の壁部側からカード挿入路に進出するように設けられることとなり、また、カード挿入路の他方の壁部には、その内部にカード挿入路に進出したシャッタ部材の先端部が位置する孔部が設けられているため、シャッタ部材がカード挿入路に進出した状態においては、カード挿入路の他方の壁部に設けられた孔部の内部に、カード挿入路に進出したシャッタ部材の先端部が位置することになる。これにより、カード挿入路がカード厚さ方向にわたって確実に閉じられることになり、カード挿入口から紙あるいは金尺といった厚さの薄い異物が挿入された場合においても、このような異物の挿入を確実に阻止することが可能となる。
【０００７】
また、請求項１に記載の発明において、シャッタ部材は、カード挿入方向とは交わる方向に伸びる中心軸回りに揺動可能且つ中心軸方向に移動可能に設けられ、中心軸回りに揺動することにより、カード挿入路に対して進出方向及び退出方向に移動し、孔部は、先端部が中心軸方向に移動し得るように中心軸方向に所定の間隔を有する第１孔部と、中心軸方向での間隔が第１孔部より小さい間隔を有し、且つ、先端部が中心軸方向に移動された状態から中心軸回りに揺動し得るようにカード挿入方向に所定の間隔を有する第２孔部とを含み、シャッタ部材は、先端部が第１孔部を形成する壁面のうちカード挿入方向で見て前側の壁面と当接することにより、退出方向への揺動が規制される。これにより、孔部は、先端部が中心軸方向に移動し得るように中心軸方向に所定の間隔を有する第１孔部と、中心軸方向での間隔が第１孔部より小さい間隔を有し、且つ、先端部が中心軸方向に移動された状態から中心軸回りに揺動し得るようにカード挿入方向に所定の間隔を有する第２孔部とを含んでおり、シャッタ部材は、先端部が第１孔部を形成する壁面のうちカード挿入方向で見て前側の壁面と当接することにより、退出方向への揺動が規制されるため、孔部（第１孔部）に、シャッタ部材の退出方向への移動を規制するためのストッパとしての機能を持たせることができ、構成の簡素化を図ることが可能となる。
【０００８】
請求項２に記載の発明は、請求項１に記載の発明において、先端部は、中心軸方向に所定間隔を隔てて複数の突出部が設けられた櫛形に形成されており、孔部は、各突出部に対応して設けられることを特徴としている。カード挿入口から紙のように厚さが薄く且つ容易に変形する異物が挿入された場合に、異物がシャッタ部材に当接して湾曲し、先端部を潜り込む状態となり、先端部と孔部との間から挿入されてしまうことが考えられるが、先端部は中心軸方向に所定間隔を隔てて複数の突出部が設けられた櫛形に形成されており、孔部は各突出部に対応して複数設けられるため、各突出部が入る孔部が中心軸方向に連続した１つの孔部とはならず、複数の孔部の間の部分には孔部が形成されない面が設けられることになり、上述したように異物が先端部を潜り込み、先端部と孔部との間から挿入されてしまうことを防止することが可能となる。
【０００９】
請求項３に記載の発明は、請求項１又は２に記載の発明において、シャッタ部材は、カード挿入路に挿入されたカードが当接することによりカード挿入路から退出方向に移動し、孔部に入り込む先端部は、カードの情報が記録された部分に対応する位置におけるカード厚さ方向での長さが、他の位置におけるカード厚さ方向での長さより短く設定されていることを特徴としている。この場合には、特に、孔部に入り込む先端部は、カードの情報が記録された部分に対応する位置におけるカード厚さ方向での長さが、他の位置におけるカード厚さ方向での長さより短く設定されているので、先端部のカードの情報が記録された部分に対応する位置以外の位置、例えばカードの情報が記録された部分の間に対応する位置、あるいは、カードの情報が記録された部分とカードのカード挿入方向に直交する幅方向での端部との間に対応する位置で、シャッタ部材とカードとが当接することになる。このため、カードの情報が記録された部分へのシャッタ部材の当接が防止されて、カードの情報が記録された部分を傷付けることなく、この部分を保護することが可能となる。ここで、カードの情報が記録された部分とは、例えば磁気カードにおける磁気情報記録部、ＩＣカードにおける電極部、等の読み出し可能な価値情報が書き込まれている部分、あるいは、カード所有者の氏名、口座番号、会員番号等がエンボス加工されて表示されている部分を含むものである。
【００１０】
請求項４に記載の発明は、請求項３に記載の発明において、孔部に入り込む先端部は、カードの幅方向での端部に対応する位置におけるカード厚さ方向での長さが、他の位置におけるカード厚さ方向での長さより長く設定されていることを特徴としている。この場合には、カードの表面、特に、カード中央部に形成される意匠面へのシャッタ部材の当接が防止されることにより、カードの情報が記録された部分の保護に加え、上述した意匠面を傷付けることなく、意匠面を保護することが可能となる。
【００１１】
【発明の実施の形態】
以下、本発明の実施形態を図面に基づいて説明する。なお、図面の説明において同一の要素には同一の符号を付しており、重複する説明は省略する。
【００１２】
図１は本発明に係るカード処理装置の全体の外観を示す斜視図、図２は同じくカバーを取った状態での平面図、図３は同じくカバーを取った状態での正面図、図４は図２におけるＩＶ−ＩＶ線に沿った断面図、図５は図２におけるＶ−Ｖ線に沿った断面図である。本実施形態においては、ＩＣカード処理装置に適用した例を示している。
【００１３】
機器本体Ａは、概ねベース板１と囲い壁２とで構成されている。ベース板１は、合成樹脂で略平板状に形成されている。ベース板１には前方側、すなわちＩＣカードＣを挿入する側に矩形の切欠部３が形成されている。囲い壁２は、ベース板１を囲むようにして平面視略コ字状にベース板１と一体形成されており、ＩＣカードＣを挿入する側が開放されている。囲い壁２は、互いに対向して設けられカード挿入方向に延びる壁部２ａ，２ｂと、カード挿入方向に直交する方向に延びる壁部２ｃとで構成されている。
【００１４】
ベース板１の下面には、切欠部３と連設された凹部４が形成されている。凹部４の両側壁４ａ，４ｂは、ＩＣカードＣの幅よりも僅かに大きい間隔を隔てて対向するようにして、カード挿入方向に延設されている。凹部４は、囲い壁２のカード挿入方向に直交する壁部２ｃに形成された開口部５にも連設されて形成されており、カード挿入方向前方が機器本体Ａの外に開口している。凹部４のカード挿入方向の前端近傍には、一方の側壁４ａから突出した突出部（図示せず）が凹部４内に設けられている。突出部（図示せず）は、凹部４内に挿入されるＩＣカードＣの前端が当接し、ＩＣカードＣの挿入限界を決めるカード用ストッパとして機能する。
【００１５】
ベース板１のカード挿入方向に直交する方向で見て略中央には、ガイド溝８ａが穿設された一対の第１ガイド壁８，８が対向して設けられ、一対の第１ガイド壁８，８間にはカード挿入方向前方に延在するガイド孔９が穿設されている。ガイド溝８ａは、カード挿入方向で見てガイド溝８ａの前側部分が後側部分に比してベース板１に近づけられて（カード挿入方向に向かって前下がり）形成されている。ガイド孔９のカード挿入方向で見て前側端部の一方の側部には、第２ガイド壁１０が立設されている。第２ガイド壁１０の上部には、ガイド溝８ａと同様に、前側部分が後側部分に比してベース板１に近づけられて（カード挿入方向に向かって前下がり）形成されたガイド面１０ａが設けられている。ガイド孔９のカード挿入方向で見て前側端部のには、断面略逆Ｌ字状に形成された規制部１２が立設されている。規制部１２の上部の下面はストッパ面を形成している。ガイド孔９のカード挿入方向に見て後側端部には、一対の第１ガイド壁８，８間にカード挿入方向に直交する方向に延びる縦壁１１が立設されている。縦壁１１には、フック部１１ａがカード挿入方向で見て前方に突出して形成されている。ガイド孔９と囲い壁２のカード挿入方向に延びる一方の壁部２ｂとの間に位置するベース板１には、ガイド孔９と同方向に延在するサブガイド孔１３が穿設されている。サブガイド孔１３は、凹部４の突出部（図示せず）が設けられる側壁４ａに対向する側壁４ｂを一部切り欠く形で形成される。
【００１６】
平面視で、ガイド孔９と囲い壁２のカード挿入方向に延びる他方の壁部２ａとの間に位置するベース板１の上面には、ピン１４ａ，１４ｂがカード挿入方向に略直列に立設されている。ピン１４ａ，１４ｂには、カードの挿入状態を検出する第１マイクロスイッチ１５が位置決めされて固定される。ピン１４ａ，１４ｂには第１マイクロスイッチ１５が圧入されてベース板１上に取り付けられている。第１マイクロスイッチ１５は、平面視長方形を呈しており、長軸方向がカード挿入方向と略平行、且つ、第１マイクロスイッチ１５のスイッチ部１５ａが壁部２ａに対向するように設けられている。
【００１７】
平面視で、ガイド孔９（カード挿入方向で見て前側端部）と囲い壁２のカード挿入方向と直交する方向に延びる壁部２ｃとの間に位置するベース板１の上面には、ピン１４ｃ，１４ｄがカード挿入方向と直交する方向に略直列に立設されている。ピン１４ｃ，１４ｄには、カードの挿入状態を検出する第２マイクロスイッチ１６が位置決めされて固定される。ピン１４ｃ，１４ｄには第２マイクロスイッチ１６が圧入されてベース板１上に取り付けられている。第２マイクロスイッチ１６は、平面視長方形を呈しており、長軸方向がカード挿入方向と略直交、且つ、第２マイクロスイッチ１６のスイッチ部１６ａがカード挿入方向後側に向くように設けられている。
【００１８】
ベース板１の下面には、ＩＣカードＣの厚みよりもやや大きい間隔を隔てて、ベース板１と対向する合成樹脂製の底板１８が固定されている。底板１８には、ベース板１の切欠部３に対応して略同じ外形の切欠部１９が形成されている。ベース板１の凹部４がこの底板１８によって覆われることにより、凹部４と底板１８とで画成される空間がカード挿入路２０を形成することになると共に、ベース板１及び底板１８の端部にカード挿入口２１が形成されることになる。底板１８には、囲い壁２のカード挿入方向に延びる一方の壁部２ｂと近傍の位置に、ベース板１に形成されたサブガイド孔１３に対応して、サブガイド孔１３と同方向に延在する切欠部２２が穿設されている。底板１８のカード挿入方向に見て後方側には、切欠部１９を挟んでカード載置部１８ａ，１８ｂが対向するように設けられている。
【００１９】
底板１８の一方のカード載置部１８ｂには、ＩＣカードＣ上に記録された磁気情報を読み出すための磁気ヘッド２５が、凹部４の一方の側壁４ｂからカード挿入方向に直交する方向に所定距離を隔てて設けられている。磁気ヘッド２５は、底板１８下面からカード厚み方向（上下方向）に延びて固定された支柱２６，２６上をカード厚み方向に移動可能となっており、バネ２７により底板１８方向（上方）に付勢力が与えられている。磁気ヘッド２５が設けられるカード載置部１８ｂに対向するベース板１の対向面１ａには、磁気ヘッド２５に対向してローラ２８が設けられている。ローラ２８は、ベース板１の対向面１ａ上に突設されたボス部２９に固定されたシャフト３０に回転自在に軸支されている。
【００２０】
ベース板１のガイド壁８には、接点ユニット３１が支持されている。接点ユニット３１は、厚みの薄い直方体に形成された端子取付部３２と、カード挿入路２０に挿入されたＩＣカードＣが当接するカード当接部３３とを有している。端子取付部３２とカード当接部３３とは、腕部３４により接続されており、これら端子取付部３２、カード当接部３３及び腕部３４は合成樹脂により一体成形されている。端子取付部３２のカード挿入方向で後方側となる位置の両側には、一対のダボ３５，３５が突出形成されている。端子取付部３２の下面３２ａには、薄片状の導電材をくの字状に折り曲げ形成した接点端子３６が取り付けられている。また、端子取付部３２のカード挿入方向で前方側となる位置の一方の側部（カード当接部が設けられる側と反対側）には、ダボ（図示せず）が突出形成されている。腕部３４にはバネ掛け部３８が形成され、カード当接部３３にはカード当接面３９が形成されている。
【００２１】
接点ユニット３１は、ガイド壁８のガイド溝８ａの開口からダボ３５，３５をガイド溝８ａ内に係入し、縦壁１１のフック部１１ａとバネ掛け部３８とに引張りスプリング４１を掛けることによって、常に、カード当接部３３のカード当接面３９がベース板１のサブガイド孔１３を介して凹部４に臨むようにガイド壁８に支持される。ダボ（図示せず）は、フック部１１ａとバネ掛け部３８とに引張りスプリング４１が掛けられた状態で、第２ガイド壁１０のガイド面１０ａに当接する。カード当接部３３（カード当接面３９）は凹部４の側壁４ｂに近接した位置に設けられることになり、カード挿入路２０に挿入されたＩＣカードＣの角部が当接するように構成されている。ガイド壁８に支持された接点ユニット３１は、ガイド溝８ａ及びガイド面１０ａによって、後方斜め上方から前方斜め下方に移動自在に案内され、引張りスプリング４１によって、接点ユニット３１を常時後方側に付勢されている。端子取付部３２はベース板１のガイド孔９内をカード挿入方向の前後方向に移動し、カード当接部３３はベース板１のサブガイド孔１３内をカード挿入方向の前後方向に移動する。
【００２２】
切欠部３のカード挿入方向に見て前端部分には、シャッタ部材４２が設けられている。シャッタ部材４２は、ベース板１に穿設されたシャッタ部材格納孔（図示せず）内に設けられている。シャッタ部材格納孔（図示せず）は、そのカード挿入方向に直交する方向での長さが凹部４のカード挿入方向に直交する方向での幅より長く設定されている。シャッタ部材４２は、図１０にも示されるように、囲い壁２の対向する壁部２ａ，２ｂ間に架設されたシャフト４４に対して揺動自在に支持されている。シャフト４４は、シャッタ部材格納孔（図示せず）の上方に位置して設けられている。これらの構成により、シャッタ部材４２は、ベース板１側から、凹部４（カード挿入路２０）に対して進出方向及び退出方向に移動自在に設けられることになる。シャッタ部材４２は、バネ４５により、凹部４（カード挿入路２０）に対して進出方向に常に付勢力が付与されている。また、シャッタ部材４２は、バネ４６により、カード挿入方向に直交する方向で且つカード挿入方向に延びる壁部２ｂからカード挿入方向に延びる壁部２ａの方向に常に付勢力が付与されている。
【００２３】
シャッタ部材４２は、ベース板１の凹部４のカード挿入方向に直交する方向での幅よりやや短いシャッタ部４２ａと、中心軸方向（カードのカード挿入方向に直交する幅方向）に所定間隔を隔てて設けられ、シャフト４４に軸支される一対の軸受部４２ｂ，４２ｂとを有している。シャッタ部４２ａは、凹部４（カード挿入路２０）に対して進出した状態において、カード挿入路２０を概ね塞ぐようにその形状が設定されている。シャッタ部４２ａの先端部には、シャフト４４の中心軸方向（カードのカード挿入方向に直交する幅方向）に所定間隔を隔てて、複数の突出部４７ａ，４７ｂ，４７ｃ，４７ｄ，４７ｅがシャッタ部４２ａと一体的に設けられており、シャッタ部４２ａは櫛形に形成されている。各突出部４７ａ，４７ｂ，４７ｃ，４７ｄ，４７ｅは、シャフト４４の中心軸方向（カードのカード挿入方向に直交する幅方向）に所定の長さを有している。シャフト４４の中心軸方向（カードのカード挿入方向に直交する幅方向）に見て両端に位置する突出部４７ａ，４７ｅには、ＩＣカードＣの挿入、引き抜きをスムーズに行わせるため、ＩＣカードＣと当接する爪部４８，４８が一体的に設けられている。爪部４８，４８は、各爪部４８が挿入されたＩＣカードＣのカード挿入方向に直交する幅方向での端部の表面に当接するように、その位置が設定されている。シャッタ部４２ａは、図３あるいは図１０にも示されているように、凹部４（カード挿入路２０）に対して進出した状態において、シャッタ部４２ａの爪部４８（突出部４７ａ，４７ｅ）が設けられた位置でのカード厚さ方向の長さが、突出部４７ｂ，４７ｃ，４７ｄが設けられた位置でのカード厚さ方向の長さより長くなるように、その形状が設定されている。
【００２４】
シャフト４４の中心軸方向（カードのカード挿入方向に直交する幅方向）に見て両端に位置する突出部４７ａ，４７ｅのうち一方の突出部４７ａには、カード挿入方向前方に延設される第１延設部４９が一体的に設けられて形成されている。一対の軸受部４２ｂ，４２ｂのうち、第１延設部４９からシャフト４４の中心軸方向に見て遠い（壁部２ｂに近い）軸受部４２ｂには、カード挿入方向後方に延設される第２延設部５０が一体的に設けられて形成されている。また、シャッタ部４２ａの第１延設部４９が設けられる側の端部には、カード厚さ方向で見て突出部４７ａが延びる方向とは反対の方向（上方）に延設されるレバー部材当接部５１が一体的に設けられている。
【００２５】
底板１８には、シャッタ部材４２が凹部４（カード挿入路２０）に対して進出して、シャッタ部４２ａによりカード挿入路２０が塞がれた状態において、各突出部４７ａ，４７ｂ，４７ｃ，４７ｄ，４７ｅの入り得る孔部５２，５３，５４，５５，５６が、各突出部４７ａ，４７ｂ，４７ｃ，４７ｄ，４７ｅに対応する位置に、各々形成されている。各孔部５２，５３，５４，５５，５６は、第１孔部５２ａ，５３ａ，５４ａ，５５ａ，５６ａと第２孔部５２ｂ，５３ｂ，５４ｂ，５５ｂ，５６ｂとを有している。第１孔部５２ａ，５３ａ，５４ａ，５５ａ，５６ａは、各突出部４７ａ，４７ｂ，４７ｃ，４７ｄ，４７ｅがシャフト４４の中心軸方向（カードのカード挿入方向に直交する幅方向）に移動し得るようにシャフト４４の中心軸方向（カードのカード挿入方向に直交する幅方向）に所定の間隔を有している。第２孔部５２ｂ，５３ｂ，５４ｂ，５５ｂ，５６ｂは、シャフト４４の中心軸方向（カードのカード挿入方向に直交する幅方向）での間隔が第１孔部より小さい間隔を有し、且つ、シャッタ部材４２がシャフト４４の中心軸方向（カードのカード挿入方向に直交する幅方向）に移動された状態からシャフト４４回りに揺動し得るように、カード挿入方向に各突出部４７ａ，４７ｂ，４７ｃ，４７ｄ，４７ｅの先端の移動軌跡と干渉しない所定の間隔を有している。シャフト４４の中心軸方向（カードのカード挿入方向に直交する幅方向）に見て両端に位置する突出部４７ａ，４７ｅに対応する孔部５２，５６の第２孔部５２ｂ，５６ｂのカード挿入方向での間隔は、特に、爪部４８，４８の先端の移動軌跡と干渉しないように、他の第２孔部５３ｂ，５４ｂ，５５ｂのカード挿入方向での間隔よりも大きく設定されている。
【００２６】
第１孔部５２ａ，５３ａ，５４ａ，５５ａ，５６ａは、カード挿入方向で見て前側の壁面５２ｃ，５３ｃ，５４ｃ，５５ｃ，５６ｃとカード挿入方向で見て後側の壁面５２ｄ，５３ｄ，５４ｄ，５５ｄ，５６ｄとの間に形成されている。
シャフト４４の中心軸方向（カードのカード挿入方向に直交する幅方向）に見て最も壁部２ａ寄りの第１孔部５２ａのカード挿入方向での間隔は、バネ４５からの付勢力を受けてシャッタ部材４２が凹部４（カード挿入路２０）に対して進出しており、且つ、バネ４６からの付勢力を受けてシャッタ部材４２がカード挿入方向に延びる壁部２ａ寄りの位置にある状態において、シャッタ部材４２がシャフト４４回りに所定の微小角度揺動した際に、突出部４７ａの第１延設部４９が前側の壁面５２ｃと当接し、シャッタ部材４２の所定の微小角度以上の揺動を規制するように設定されている。
【００２７】
ベース板１の対向面１ａのカード挿入方向で見てシャッタ部材格納孔（図示せず）より後側の位置に、凸部５７が設けられている。凸部５７の高さは、バネ４５からの付勢力を受けてシャッタ部材４２が凹部４（カード挿入路２０）に対して進出しており、且つ、バネ４６からの付勢力を受けてシャッタ部材４２がカード挿入方向に延びる壁部２ａ寄りの位置にある状態において、第１延設部４９と前側の壁面５２ｃとの関係と同様に、シャッタ部材４２がシャフト４４回りに所定の微小角度揺動した際に、第２延設部５０が凸部５７と当接し、シャッタ部材４２の所定の微小角度以上の揺動を規制するように設定されている。
【００２８】
第１孔部５２ａ以外の第１孔部５３ａ，５４ａ，５５ａ，５６ａのカード挿入方向での間隔は、第１孔部５２ａの間隔より、カード挿入方向に長く設定されている。第１延設部４９あるいは前側の壁面５２ｃ、及び、第２延設部５０あるいは凸部５７が変形し、シャッタ部材４２の揺動を規制することが不可能となった場合に、各突出部４７ｂ，４７ｃ，４７ｄ，４７ｅが対応する前側の壁面５３ｃ，５４ｃ，５５ｃ，５６ｃと当接することにより、シャッタ部材４２の揺動を規制する補助的な役割を果たす。
【００２９】
ベース板１のカード挿入方向で見てシャッタ部材格納孔（図示せず）より前側の部分は、孔部５２，５３，５４，５５，５６（第２孔部５２ｂ，５３ｂ，５４ｂ，５５ｂ，５６ｂ）の形状に対応して切り欠かれた切欠部５８ａ，５８ｂ，５８ｃ，５８ｄ，５８ｅが設けられている。従って、孔部５２，５６（第２孔部５２ｂ，５６ｂ）に対応する切欠部５８ａ，５８ｅのカード挿入方向での切欠き長さは、他の切欠部５８ｂ，５８ｃ，５８ｄのカード挿入方向での切欠き長さよりも大きく設定されている。切欠部５８ｂ，５８ｄの上部には、切欠部５８ｂ，５８ｄのカード挿入方向での前側端部を覆う形で、突出部４７ｂ，４７ｄと当接して、シャッタ部材４２の揺動を規制するための規制部５９，５９が設けられている。
【００３０】
切欠部３を挟んで、磁気ヘッド２５が設けられたカード載置部１８ｂに対向するベース板部分１ｂには、レバー部材６０が設けられている。レバー部材６０は、概ねカード挿入方向に平行な状態で、ベース板１に形成されたレバー部材支持部６１に揺動自在に支持されている。レバー部材支持部６１は、ベース板１から上方に延びて筒状に形成されている。レバー部材６０は基部６２を有し、図２に示すように、ベース板１に設けられた状態でカード挿入方向に見て、順にカード当接部６３、支点部６４、シャッタ部材当接部６５及びスイッチ当接部６６とを有している。
【００３１】
基部６２は、ベース板１に設けられた状態で、カード挿入方向に延びる略平板状に形成されている。カード当接部６３は、基部６２のカード挿入方向後方端から下方に延びて形成されており、カード挿入路２０に挿入されたＩＣカードＣに当接し得るようになっている。スイッチ当接部６６は、基部６２のカード挿入方向前方端に設けられ、第１マイクロスイッチ１５のスイッチ部１５ａに当接し得るようになっている。支点部６４は、基部６２のカード当接部６３とスイッチ当接部６６との間の位置に、下方に延びて形成され、筒状に形成されたレバー部材支持部６１に挿入されるようになっている。従って、レバー部材６０は、支点部６４のカードの厚さ方向に延びる中心軸を中心にして、ＩＣカードＣに略平行な面内において揺動する。シャッタ部材当接部６５は、基部６２の支点部６４とスイッチ当接部６６との間の位置に設けられ、図１０に示されるように、シャッタ部材４２の第１延設部４９とレバー部材当接部５１との間の間隙に位置し、レバー部材当接部５１と当接し得るようになっている。シャッタ部材当接部６５及びスイッチ当接部６６とは剛性を高めるために基部６２より所定長さ下方に延びて形成され、また、シャッタ部材当接部６５とスイッチ当接部６６との間には上下方向に延びる壁部６７が形成されている。
【００３２】
ベース板１の切欠部３及び底板１８の切欠部１９を挟んで、磁気ヘッド２５が設けられたカード載置部１８ｂに対向するベース板部分１ｂ及びカード載置部１８ａには、切欠部３に連設して、切欠部６８が形成されている。カード当接部６３の下方部は、切欠部６８内に位置し、凹部４（カード挿入路２０）内に進出した状態で設けられる。カード挿入方向に直交する方向で且つカード挿入方向に延びる壁部２ｂからカード挿入方向に延びる壁部２ａの方向に方向に作用するバネ４６の付勢力が、シャッタ部材４２（レバー部材当接部５１）を介してレバー部材６０に作用するので、レバー部材６０のスイッチ当接部６６は、壁部２ａに向けて（図２において上方向）付勢力を受ける。これにより、レバー部材６０は、カード当接部６３が凹部４（カード挿入路２０）内に進出する方向に、常時付勢されることになる。
【００３３】
上述したレバー部材６０と第１マイクロスイッチ１５との当接関係により、第１マイクロスイッチ１５は、レバー部材６０の支点部６４を中心とした揺動、すなわち、ＩＣカードＣがカード挿入口２１から挿入されたか否かを検出することが可能となる。第１マイクロスイッチ１５は、ＩＣカードＣがカード挿入口２１から挿入され、カード当接部６３にＩＣカードＣが当接してレバー部材６０が揺動することにより、スイッチ部１５ａ（接点）が押圧されてＯＮ信号が出力され、ＩＣカードＣがカード挿入口２１から引き抜かれ、ＩＣカードＣの無い状態では、スイッチ部１５ａ（接点）が復帰してＯＦＦ信号が出力されるように構成されている。
【００３４】
また、第２マイクロスイッチ１６は、接点ユニット３１（端子取付部３２）との当接関係により、ＩＣカードＣの前端部が凹部４（カード挿入路２０）のカード挿入方向前端側の所定位置まで挿入されたか否かを検出することが可能となる。第２マイクロスイッチ１６は、挿入されたＩＣカードＣの角部がカード当接部３３に当接して接点ユニット３１（端子取付部３２）をカード挿入方向に移動させ、ＩＣカードＣの前端部が凹部４（カード挿入路２０）のカード挿入方向前端側の所定位置まで挿入された際に、接点ユニット３１（端子取付部３２）のカード挿入方向前端面が当接することにより、スイッチ部１６ａ（接点）が押圧されてＯＮ信号が出力され、ＩＣカードＣがカード挿入口２１から引き抜かれ、ＩＣカードＣの無い状態では、スイッチ部１６ａ（接点）が復帰してＯＦＦ信号が出力されるように構成されている。
【００３５】
ベース板１のカード挿入方向前端近傍の位置には、カード押圧部材７２が、ベース板１から上方に延びて形成された筒部７３内に納められた状態で設けられている。カード押圧部材７２（筒部７３）は、第１マイクロスイッチ１５の長軸方向の略延長線上且つ第２マイクロスイッチ１６の長軸方向の略延長線上に位置している。カード押圧部材７２は、その下端に押圧部（図示せず）を有し、この押圧部（図示せず）がベース板１をカード厚さ方向に貫通して形成された孔部（図示せず）を介して、ベース板１の下面から凹部４（カード挿入路２０）内のカード挿入方向前端近傍の位置に進出するように設けられると共に、バネ（図示せず）により底板１８方向に付勢力が付与されている。バネ（図示せず）の上端部は、筒部７３の上端部に係合固定されるプレート部材７６に当接しており、バネ（図示せず）は予め圧縮された状態で筒部７３内に納められている。押圧部（図示せず）の下面のカード挿入方向後方側は、カード挿入方向前方に向かって下側にやや傾斜してテーパ状に形成されている。これにより、挿入されたＩＣカードＣ先端部が、押圧部（図示せず）の下面の下に入りやすく構成されている。
【００３６】
機器本体Ａの上面は略平板状に形成されたカバー８１で覆われており、カバー８１はベース板１上に立設されたボス部（図示せず）にネジによって固定される。カバー８１の下面には、レバー部材６０のシャッタ部材当接部６５に対応する位置、第１マイクロスイッチ１５に対応する位置、第２マイクロスイッチ１６に対応する位置の各々に下方に延設された突出部８３が形成されている。各突出部８３は、レバー部材６０（特に、シャッタ部材当接部６５）、第１マイクロスイッチ１５及び第２マイクロスイッチ１６の上方への移動を規制するようにその高さが設定されている。ＩＣカードＣの上面には、接点ユニット３１の接点端子３６が対接する電極部Ｃ１と、ＩＣカードＣの所有者氏名等がエンボス加工されて記録されているエンボス加工部Ｃ２が形成されている。
【００３７】
このような構成において、図１に示すように、ＩＣカードＣを底板１８のカード載置部１８ａ，１８ｂと、凹部４の両側壁４ａ，４ｂとの間に挿入し、カード挿入口２１から凹部４（カード挿入路２０）に挿入する。ＩＣカードＣが未だ挿入されていない状態又は挿入されたＩＣカードＣがレバー部材６０のカード当接部６３に達していない状態（図２に示された状態）では、シャッタ部材４２は、バネ４５からの付勢力を受けて凹部４（カード挿入路２０）に対して進出した状態にある。シャッタ部材４２が凹部４（カード挿入路２０）に対して進出した状態では、各突出部４７ａ，４７ｂ，４７ｃ，４７ｄ，４７ｅが各々対応する孔部５２，５３，５４，５５，５６内に入った状態とされている。また、シャッタ部材４２は、バネ４６からカード挿入方向に直交する方向で且つカード挿入方向に延びる壁部２ｂからカード挿入方向に延びる壁部２ａの方向に方向に作用する付勢力を受けて、カード挿入方向に延びる壁部２ａ寄りの位置にある状態とされる。レバー部材６０に対してはシャッタ部材４２（レバー部材当接部５１）を介して上述されたバネ４６の付勢力が作用し、レバー部材６０はカード当接部６３を凹部４（カード挿入路２０）内に進出させた状態とされる。
【００３８】
上述された状態では、第１延設部４９が前側の壁面５２ｃと対向する位置、及び、第２延設部５０が凸部５７と対向する位置にあるため、何らかの手段によりシャッタ部材４２をカード挿入方向に押圧し、シャッタ部材４２を揺動させようとしても、シャッタ部材４２がシャフト４４回りに所定の微小角度揺動した際に、第１延設部４９が前側の壁面５２ｃと当接し、第２延設部５０が凸部５７と当接し、上述した所定の微小角度以上のシャッタ部材４２の凹部４（カード挿入路２０）からの退出方向への揺動が規制され、シャッタ部材４２は、カード挿入路２０に対して進出した状態が維持される。また、各突出部４７ｂ，４７ｃ，４７ｄ，４７ｅも、前側の壁面５３ｃ，５４ｃ，５５ｃ，５６ｃと対向する位置にあり、前側の壁面５３ｃ，５４ｃ，５５ｃ，５６ｃと当接することにより、シャッタ部材４２の揺動を補助的に規制している。
【００３９】
ＩＣカードＣが挿入され、挿入されるＩＣカードＣ前端の一方の角部がレバー部材６０のカード当接部６３に当接する（図６に示された状態）と、角部はカード当接部６３を平面視で見て凹部４（カード挿入路２０）から退出する方向（図６において上方向）に押圧する。ＩＣカードＣによるカード当接部６３への押圧により、レバー部材６０は支点部６４を中心に時計回りに揺動し、シャッタ部材当接部６５及びスイッチ当接部６６を平面視で見て凹部４（カード挿入路２０）の内側方向（図６において下方向）に移動させる。これにより、スイッチ当接部６６は第１マイクロスイッチ１５のスイッチ部１５ａ（接点）を押圧する。第１マイクロスイッチ１５は、スイッチ部１５ａの押圧を受け、ＯＮ信号を出力する。シャッタ部材当接部６５はシャッタ部材４２のレバー部材当接部５１に当接し、シャッタ部材４２をバネ４６の付勢力に抗しながら、カード挿入方向に直交する方向で且つカード挿入方向に延びる壁部２ａからカード挿入方向に延びる壁部２ｂの方向に移動させる。第１延設部４９が前側の壁面５２ｃと対向する位置、及び、第２延設部５０が凸部５７と対向する位置から外れるため、上述したシャッタ部材４２の凹部４（カード挿入路２０）からの退出方向への移動規制が解除され、シャッタ部材４２は凹部４（カード挿入路２０）から退出が可能な状態とされる。
【００４０】
ＩＣカードＣの挿入が進むと、ＩＣカードＣの前端面がシャッタ部材４２と当接するようになる。この状態では、シャッタ部材４２の凹部４（カード挿入路２０）からの退出方向への移動規制が解除されているので、ＩＣカードＣからの押圧力を受けて、シャッタ部材４２はシャフト４４を中心にして揺動する。シャッタ部材４２の揺動により、シャッタ部４２ａの各突出部４７ａ，４７ｂ，４７ｃ，４７ｄ，４７ｅが孔部５２，５３，５４，５５，５６（第２孔部５２ｂ，５３ｂ，５４ｂ，５５ｂ，５６ｂ）内を移動し、シャッタ部材４２（シャッタ部４２ａ）は凹部４（カード挿入路２０）から退出する。従って、図１１に示されるように、ＩＣカードＣはシャッタ部材４２を押し上げながらカード挿入路２０内を進むことになる。ＩＣカードＣがシャッタ部材４２を押し上げながらカード挿入路２０内を進む際には、シャッタ部４２ａの爪部４８（突出部４７ａ，４７ｅ）が設けられた位置でのカード厚さ方向の長さが、突出部４７ｂ，４７ｃ，４７ｄが設けられた位置でのカード厚さ方向の長さより長くなるように設定されているので、図９又は図１１に示されるように、爪部４８，４８がＩＣカードＣのカード挿入方向に直交する幅方向での端部の表面に当接し、突出部４７ｂ，４７ｃ，４７ｄがＩＣカードＣの表面に当接することはない。
【００４１】
更に、ＩＣカードＣが挿入されると、挿入されるＩＣカードＣ前端の他方の角部は、接点ユニット３１のカード当接部３３（カード当接面３９）に当接し、カード当接部３３を引張りスプリング４１のバネ力に抗してカード挿入方向に押圧する。押圧されたカード当接部３３は、サブガイド孔１３内をカード挿入方向に移動する。また、カード当接部３３にＩＣカードＣから与えられた押圧力は、腕部３４を介して端子取付部３２に伝わり、端子取付部３２は、第１ガイド壁８のガイド溝８ａ及び第２ガイド壁１０のガイド面１０ａによってカード挿入方向に降下する。ＩＣカードＣの挿入が進むと、端子取付部３２は、ガイド孔９から接点端子３６をカード挿入路２０内に臨ませながら下降且つカード挿入方向に移動し、端子取付部３２の接点端子３６がＩＣカードＣの電極部Ｃ１に対接することになる。
【００４２】
ＩＣカードＣは、ＩＣカードＣ前端の他方の角部が突出部（図示せず）に当接することにより、カード挿入方向への挿入が規制される（図７及び図８に示される状態）。このとき、ＩＣカードＣ前端の一方の角部の近傍部分は、下面のカード挿入方向後方側がテーパ状に形成された押圧部（図示せず）の下方に入り込むことになる。ＩＣカードＣには、筒部７３内に設けられたバネ（図示せず）からの付勢力がカード押圧部材７２を介して凹部４下面から底板１８方向に向かって作用する。これにより、ＩＣカードＣ前端の一方の角部の近傍部分は底板１８の上面に押圧され、ＩＣカードＣは突出部（図示せず）に当接した状態に保持される。接点ユニット３１（端子取付部３２）のカード挿入方向前端面側がガイド孔９（サブガイド孔１３）のカード挿入方向前端近傍に到達すると、接点ユニット３１（端子取付部３２）のカード挿入方向前端面は第２マイクロスイッチ１６のスイッチ部１６ａ（接点）を押圧する。第２マイクロスイッチ１６は、スイッチ部１６ａの押圧を受け、ＯＮ信号を出力する。
【００４３】
端子取付部３２の接点端子３６がＩＣカードＣの電極部Ｃ１に対接した状態で、接点端子３６を介してＩＣカードＣのデータが処理される。詳細には、第１マイクロスイッチ１５及び第２マイクロスイッチ１６の両者からＯＮ信号が出力されている場合に、ＩＣカードＣのデータが処理されることになる。また、ＩＣカードＣの所定位置に磁気情報が記録されている場合は、磁気情報が記録されている部分が磁気ヘッド２５を通過する際に、磁気ヘッド２５により記録された磁気情報が読み出される。詳細には、第１マイクロスイッチ１５からＯＮ信号が出力され第２マイクロスイッチ１６からＯＮ信号が出力されるまでの間、磁気情報が読み出されることになる。読み出された磁気情報は、カード会社等のホストコンピュータ等に通信され、挿入されたカードが使用可能なものか否かが判断され、その結果が返送されてくるように構成されている。
【００４４】
上述されたように、本実施形態のＩＣカード処理装置においては、シャッタ部材４２は、カード挿入路２０を形成するベース板１の凹部４側からカード挿入路２０（凹部４内）に進出するように設けられており、カード挿入路２０の他方の壁部を形成する底板１８には、カード挿入路２０に進出したシャッタ部材４２のシャッタ部４２ａの各突出部４７ａ，４７ｂ，４７ｃ，４７ｄ，４７ｅに対応する位置に各孔部５２，５３，５４，５５，５６が設けられているため、シャッタ部材４２がカード挿入路２０（凹部４）に対して進出して、シャッタ部４２ａによりカード挿入路２０が塞がれた状態において、各孔部５２，５３，５４，５５，５６には対応する各突出部４７ａ，４７ｂ，４７ｃ，４７ｄ，４７ｅが入っているので、カード挿入口２１から紙あるいは金尺といった厚さの薄い異物が挿入された場合においても、上述したような異物の挿入を確実に阻止することが可能となる。
【００４５】
また、シャッタ部４２ａの先端部には、シャフト４４の中心軸方向（カードのカード挿入方向に直交する幅方向）に所定間隔を隔てて、複数の突出部４７ａ，４７ｂ，４７ｃ，４７ｄ，４７ｅが設けられており、シャッタ部４２ａは櫛形に形成されており、複数の突出部４７ａ，４７ｂ，４７ｃ，４７ｄ，４７ｅに対して孔部５２，５３，５４，５５，５６が各々設けられているため、各突出部４７ａ，４７ｂ，４７ｃ，４７ｄ，４７ｅが入る孔部５２，５３，５４，５５，５６がシャフト４４の中心軸方向に伸びる連続した１つの孔部とはならず、複数の孔部５２，５３，５４，５５，５６の間の部分には孔部が形成されない面が設けられることになり、カード挿入口２１から紙のように厚さが薄く且つ容易に変形する異物が挿入された場合にも、異物がシャッタ部４２ａ（突出部４７ａ，４７ｂ，４７ｃ，４７ｄ，４７ｅ）の先端の下方に潜り込み、シャッタ部４２ａ（突出部４７ａ，４７ｂ，４７ｃ，４７ｄ，４７ｅ）の先端と孔部５２，５３，５４，５５，５６との間から挿入されてしまうことを防止することが可能となる。
【００４６】
また、シャッタ部４２ａのシャフト４４の中心軸方向（カードのカード挿入方向に直交する幅方向）に見て両端に位置する突出部４７ａ，４７ｅには爪部４８，４８が設けられており、爪部４８（突出部４７ａ，４７ｅ）が設けられた位置でのカード厚さ方向の長さが、突出部４７ｂ，４７ｃ，４７ｄが設けられた位置でのカード厚さ方向の長さより長くなるように設定されているので、ＩＣカードＣがシャッタ部材４２を押し上げながらカード挿入路２０内を進む際には、爪部４８，４８がＩＣカードＣのカード挿入方向に直交する幅方向での端部の表面に当接し、突出部４７ｂ，４７ｃ，４７ｄがＩＣカードＣの表面に当接することはない。このため、ＩＣカードＣの情報が記録された部分、例えば電極部Ｃ１あるいはエンボス加工部Ｃ２へのシャッタ部材４２（突出部４７ｂ，４７ｃ，４７ｄ）の当接が防止されて、ＩＣカードＣの情報が記録された部分を傷付けることなく、この部分を保護することが可能となる。また、シャッタ部４２ａのシャフト４４の中心軸方向（カードのカード挿入方向に直交する幅方向）に見て両端に位置する突出部４７ａ，４７ｅに爪部４８，４８が設けられていることから、ＩＣカードＣのカード中央部に形成される意匠面へのシャッタ部材４２（突出部４７ｂ，４７ｃ，４７ｄ）の当接が防止され、ＩＣカードＣの情報が記録された部分の保護に加え、上述した意匠面を傷付けることなく、意匠面を保護することが可能となる。
【００４７】
また、シャッタ部材４２は、レバー部材６０に当接するレバー部材当接部５１と、ストッパ部としての前側の壁面５２ｃに対向、当接する第１延設部４９と、同じくストッパ部としての凸部５７に対向、当接する第２延設部５０とを有し、カード挿入方向とは交わる方向に伸びるシャフト４４の中心軸回りに揺動可能且つシャフト４４の中心軸方向に移動可能に設けられている。シャッタ部材４２は、シャフト４４の中心軸回りに揺動することにより、カード挿入路２０（凹部４）に対して進出方向及び退出方向に移動し、レバー部材６０の揺動がレバー部材当接部５１を介してシャッタ部材４２に伝達されることにより、シャッタ部材４２はカード挿入方向と交わる方向に移動されて、第１延設部４９と前側の壁面５２ｃとの当接関係、及び、第２延設部５０が凸部５７との当接関係が解かれるように構成されているので、シャッタ部材４２の、カード挿入路２０（凹部４）に対して進出方向及び退出方向への移動、及び、第１延設部４９と前側の壁面５２ｃとの当接関係、及び、第２延設部５０が凸部５７との当接関係を解除するための移動を実現するための構造を、簡易且つ低コストで実現することが可能となる。
【００４８】
また、各孔部５２，５３，５４，５５，５６は、各突出部４７ａ，４７ｂ，４７ｃ，４７ｄ，４７ｅがシャフト４４の中心軸方向（カードのカード挿入方向に直交する幅方向）に移動し得るようにシャフト４４の中心軸方向（カードのカード挿入方向に直交する幅方向）に所定の間隔を有した第１孔部５２ａ，５３ａ，５４ａ，５５ａ，５６ａと、シャフト４４の中心軸方向（カードのカード挿入方向に直交する幅方向）での間隔が第１孔部より小さい間隔を有し、且つ、シャッタ部材４２がシャフト４４の中心軸方向（カードのカード挿入方向に直交する幅方向）に移動された状態からシャフト４４回りに揺動し得るように、カード挿入方向に各突出部４７ａ，４７ｂ，４７ｃ，４７ｄ，４７ｅの先端の移動軌跡と干渉しない所定の間隔を有した第２孔部５２ｂ，５３ｂ，５４ｂ，５５ｂ，５６ｂとを含んでおり、第１孔部５２ａ，５３ａ，５４ａ，５５ａ，５６ａの前側の壁面５２ｃ，５３ｃ，５４ｃ，５５ｃ，５６ｃが各々第１延設部４９、各突出部４７ｂ，４７ｃ，４７ｄ，４７ｅと対向、当接するように構成されるため、各孔部５２，５３，５４，５５，５６に、シャッタ部材４２の退出方向への移動を規制するためのストッパ部の機能を持たせることができ、構成の簡素化を図ることが可能となる。
【００４９】
また、第１延設部４９、第２延設部５０、各突出部４７ｂ，４７ｃ，４７ｄ，４７ｅは、シャフト４４の中心軸方向に見て所定間隔を有してシャッタ部材４２に設けられると共に、これら第１延設部４９、第２延設部５０、各突出部４７ｂ，４７ｃ，４７ｄ，４７ｅに対応して、前側の壁面５２ｃ，５３ｃ，５４ｃ，５５ｃ，５６ｃ、凸部５７が設けられているので、カード挿入口２１からカード挿入路２０（凹部４）に異物、例えば金尺を強制的に挿入しようとした場合でも、シャッタ部材４２は、上述した第１延設部４９、第２延設部５０、各突出部４７ｂ，４７ｃ，４７ｄ，４７ｅの複数の位置にて、各々前側の壁面５２ｃ，５３ｃ，５４ｃ，５５ｃ，５６ｃ、凸部５７に当接し、異物を押し込むことにより作用する力がシャッタ部材４２から各前側の壁面５２ｃ，５３ｃ，５４ｃ，５５ｃ，５６ｃ、凸部５７に分散して作用することになり、力が集中することによるシャッタ部材４２の変形を抑制することができ、シャッタ部材４２の変形による異物の挿入を防止することが可能となる。
【００５０】
また、特に、異物を押し込むことにより作用する力がシャッタ部材４２から各前側の壁面５２ｃ，５３ｃ，５４ｃ，５５ｃ，５６ｃに分散して作用することになるため、シャフト４４の中心軸方向に見て、シャッタ部材４２における異物から力が作用する位置と第１延設部４９、各突出部４７ｂ，４７ｃ，４７ｄ，４７ｅ（各前側の壁面５２ｃ，５３ｃ，５４ｃ，５５ｃ，５６ｃ）が設けられた位置とが近づけられることになり、異物から作用する位置と第１延設部４９、各突出部４７ｂ，４７ｃ，４７ｄ，４７ｅ（各前側の壁面５２ｃ，５３ｃ，５４ｃ，５５ｃ，５６ｃ）が設けられた位置が離れることによるシャッタ部材４２のねじれ変形を抑制することができ、シャッタ部材４２の変形による異物の挿入を防止することが可能となる。
【００５１】
また、第１延設部４９及び第２延設部５０が、シャフト４４の中心軸方向に見てシャッタ部材４２に端部近傍位置に各々設けられているので、第１延設部４９と前側の壁面５２ｃ、及び、第２延設部５０と凸部５７の２カ所で当接関係を有するように構成した場合においても、効果的にシャッタ部材４２の上述した変形を抑制することが可能となる。
【００５２】
図１２及び図１３は、本実施形態の変形例を示している。上述した実施形態では、シャッタ部４２ａは、シャフト４４の中心軸方向（カードのカード挿入方向に直交する幅方向）に所定間隔を隔てて、複数の突出部４７ａ，４７ｂ，４７ｃ，４７ｄ，４７ｅが設けられた、櫛形に形成されいるが、図１２及び図１３に示される変形例においては、シャッタ部４２ａの先端側に、シャフト４４の中心軸方向（カードのカード挿入方向に直交する幅方向）に連続する１つの突出部９１が設けられている。底板１８には、突出部９１に対応する位置に、シャフト４４の中心軸方向（カードのカード挿入方向に直交する幅方向）に伸びる１つの孔部９２が設けられている。
【００５３】
孔部９２は、第１孔部９２ａと第２孔部９２ｂとを有している。第１孔部９２ａは、突出部９１がシャフト４４の中心軸方向（カードのカード挿入方向に直交する幅方向）に移動し得るようにシャフト４４の中心軸方向（カードのカード挿入方向に直交する幅方向）に所定の間隔を有している。第２孔部９２ｂは、シャフト４４の中心軸方向（カードのカード挿入方向に直交する幅方向）での間隔が第１孔部より小さい間隔を有し、且つ、シャッタ部材４２がシャフト４４の中心軸方向（カードのカード挿入方向に直交する幅方向）に移動された状態からシャフト４４回りに揺動し得るように、カード挿入方向に突出部９１の先端の移動軌跡と干渉しない所定の間隔を有している。第２孔部９２ｂのシャフト４４の中心軸方向（カードのカード挿入方向に直交する幅方向）に見て両端部分のカード挿入方向での間隔は、特に、爪部４８，４８の先端の移動軌跡と干渉しないように、第２孔部９２ｂのシャフト４４の中心軸方向（カードのカード挿入方向に直交する幅方向）に見て中央部のカード挿入方向での間隔よりも大きく設定されている。
【００５４】
第１孔部９２ａは、カード挿入方向で見て前側の壁面９２ｃとカード挿入方向で見て後側の壁面９２ｄとの間に形成されている。シャフト４４の中心軸方向（カードのカード挿入方向に直交する幅方向）に見て最も壁部２ａ寄りの第１孔部９２ａのカード挿入方向での間隔は、バネ４５からの付勢力を受けてシャッタ部材４２が凹部４（カード挿入路２０）に対して進出しており、且つ、バネ４６からの付勢力を受けてシャッタ部材４２がカード挿入方向に延びる壁部２ａ寄りの位置にある状態において、シャッタ部材４２がシャフト４４回りに所定の微小角度揺動した際に、第１延設部４９が前側の壁面９２ｃと当接し、シャッタ部材４２の所定の微小角度以上の揺動を規制するように設定されている。
【００５５】
上述した変形例においても、シャッタ部材４２がカード挿入路２０（凹部４）に対して進出して、シャッタ部４２ａによりカード挿入路２０が塞がれた状態において、孔部９２には対応する突出部９１が入っているので、カード挿入口２１から紙あるいは金尺といった厚さの薄い異物が挿入された場合においても、上述したような異物の挿入を確実に阻止することが可能となる。
【００５６】
上述された実施形態においては、ＩＣカードＣの情報が記録された部分に対応する位置以外の位置として、爪部４８，４８をシャッタ部４２ａのシャフト４４の中心軸方向（カード挿入方向に直交する幅方向）に見て両端に位置する突出部４７ａ，４７ｅ、あるいは、突出部９１の両端に設けているが、
これらに限られることなく、ＩＣカードＣの情報が記録された部分の間に対応する位置、例えば電極部Ｃ１とエンボス加工部Ｃ２との間に対応する位置のシャッタ部４２ａに爪部４８を設けるように構成しても良い。
【００５７】
また、本実施形態においては、ＩＣカード処理装置に基づいて説明したが、これに限られることなく、磁気カードを用いた磁気カード処理装置にも採用することも可能であり、その他種々のカード処理装置に適用できる。
【００５８】
【発明の効果】
以上、詳細に説明したように、本発明によれば、カード挿入口から紙あるいは金尺といった厚みの薄い異物が挿入されることを確実に阻止することが可能なカード処理装置を提供することができる。
【図面の簡単な説明】
【図１】本発明に係るカード処理装置の全体の外観を示す斜視図である。
【図２】本発明に係るカード処理装置のカバーを取った状態での平面図である。
【図３】本発明に係るカード処理装置のカバーを取った状態での正面図である。
【図４】図２におけるＩＶ−ＩＶ線に沿った断面図である。
【図５】図３におけるＶ−Ｖ線に沿った断面図である。
【図６】本発明に係るカード処理装置に含まれる、レバー部材及びシャッタ部材の動作を説明する平面図である。
【図７】本発明に係るカード処理装置に含まれる、レバー部材及びシャッタ部材の動作を説明する平面図である。
【図８】本発明に係るカード処理装置に含まれる、レバー部材及びシャッタ部材の動作を説明する正面図である。
【図９】本発明に係るカード処理装置に含まれる、シャッタ部材の動作を説明する説明図である。
【図１０】本発明に係るカード処理装置に含まれる、レバー部材及びシャッタ部材の当接関係を説明する要部分解斜視図である。
【図１１】本発明に係るカード処理装置に含まれる、レバー部材及びシャッタ部材の動作を説明する説明図である。
【図１２】本発明に係るカード処理装置に含まれる、シャッタ部材の変形例を示す、カバーを取った状態での正面図である。
【図１３】図１２におけるＸＩＩＩ−ＸＩＩＩ線に沿った断面図である。
【符号の説明】
１…ベース板、１８…底板、２０…カード挿入路、２１…カード挿入口、３１…接点ユニット、４２…シャッタ部材、４２ａ…シャッタ部、４４…シャフト、
４８…爪部、４９…第１延設部、４７ａ，４７ｂ，４７ｃ，４７ｄ，４７ｅ…突出部、５２，５３，５４，５５，５６…孔部、５２ａ，５３ａ，５４ａ，５５ａ，５６ａ…第１孔部、５２ｂ，５３ｂ，５４ｂ，５５ｂ，５６ｂ…第２孔部、５２ｃ，５３ｃ，５４ｃ，５５ｃ，５６ｃ…壁面、５２ｄ，５３ｄ，５４ｄ，５５ｄ，５６ｄ…壁面、９１…突出部、９２…孔部、９２ａ…第１孔部、９２ｂ…第２孔部、９２ｃ…壁面、９２ｄ…壁面、Ａ…機器本体、Ｃ…ＩＣカード、Ｃ１…電極部、Ｃ２…エンボス加工部。
【図１】
0003567203.tif 000002
【図２】
0003567203.tif 000003
【図３】
0003567203.tif 000004
【図４】
0003567203.tif 000005
【図５】
0003567203.tif 000006
【図６】
0003567203.tif 000007
【図７】
0003567203.tif 000008
【図８】
0003567203.tif 000009
【図９】
0003567203.tif 000010
【図１０】
0003567203.tif 000011
【図１１】
0003567203.tif 000012
【図１２】
0003567203.tif 000013
【図１３】
0003567203.tif 000014